(57)【要約】【課題】  筒状のカム体５の中心に配設させた従動軸６を、フロントケーシング１２とカム体５の底部５１の軸受部材７間で軸受させ、かつ係合片６３を、カム溝５３１間に係合した状態で、カム体５と共にフロントケーシング１２内に容易に組付けセットでき、その後、廻り止め軸部６２を軸孔３２ａ内に挿入するだけで回転子３の回動と直接的に連動連結が行え、部品点数の削減や各部材の組付け構成を簡素化して製作の容易化を図る。【解決手段】  カム体５を、一対の上筒５ａと下筒５ｂに分割形成し、係合片６３が取着された従動軸６と共に、フロントケーシング１２内に個別に組付けセット可能に構成し、カム体５の底部５１から突出する廻り止め軸部６２を、回転子３の軸孔３２ａ内に廻り止め状態で回転かつ進退移動可能に挿入し、回転子３の回動に直接的に連動連結させてケーシング本体１１に装着する。【選択図】        図１
2014023177.tif 000002
【特許請求の範囲】
【請求項１】
ケーシング本体内に、励磁コイルが設けられたステータと、該ステータの内側に前記コイルの励磁によって回動可能に配設された中心に軸孔を有する回転子とを備えたモータ駆動手段と、
前記ケーシング本体のフロント側部を形成するフロントケーシング内に、底部と円筒状の筒部とで断面視略コ字状に形成され、該筒部に所定のカム面が形成されたカム体と、該カム体内の中心に所定の筒内空間を存して配置され、前記カム面に沿って係合する係合片を介して従動する進退移動可能な従動軸とを備えたカム手段とからなるカム駆動アクチュエータであって、
前記従動軸は、先端側がフロントケーシングに軸受されてその前面から出没する出力軸部と、該出力軸部の後端側に延出され前記カム体の底部に軸受されてその底面から突出する廻り止め軸部とに区分け形成させて構成する一方、
前記カム体は、上カム面を形成する上筒と下カム面を形成する下筒とを一対として、上筒を要否に応じて用いられるよう分割形成し、上筒を用いた際に、上カム面と下カム面とを、前記従動軸と共にその係合片の周回を可能とする環状のカム溝を形成するよう対向離間せしめて、フロントケーシング内に組付けセット可能に構成すると共に、
前記カム体底部から突出せしめた前記廻り止め軸部の基端側を、前記軸孔内に廻り止め状態で回転かつ進退移動可能に挿入し、前記回転子の回動に直接的に連動連結させた状態で前記フロントケーシングをケーシング本体に装着せしめることで、
前記従動軸を、前記回転子の回動と一体して回転しつつ、モータ駆動手段の出力軸としてカム駆動すべく構成したことを特徴とするカム駆動アクチュエータ。
【請求項２】
請求項１において、前記回転子の軸孔内には、前記カム体の底部側となる内周面に廻り止め部が設けられていることを特徴とするカム駆動アクチュエータ。
【請求項３】
請求項２において、前記廻り止め軸部は、前記廻り止め部から前記回転子の軸孔内に入り込む長さを有することを特徴とするカム駆動アクチュエータ。
【請求項４】
請求項１乃至３の何れかにおいて、前記係合片は、前記従動軸に穿設した取付け孔に挿入されて取着されていることを特徴とするカム駆動アクチュエータ。
【請求項５】
請求項１乃至４の何れかにおいて、前記従動軸には、前記出力軸部と廻り止め軸部との区分け域に、その外周面がカム面に近接離間するよう形成された円柱状の基盤を設け、前記係合片は、前記基盤を介して前記カム溝に係合するよう取着されていることを特徴とするカム駆動アクチュエータ。
【発明の詳細な説明】
【技術分野】
【０００１】
本発明は、筒状のカム体内の中心に筒内空間を存して配設させた細径の従動軸を、カム面の形状に沿って進退移動可能に従動するよう構成してなるカム駆動アクチュエータに関する。
【背景技術】
【０００２】
従来、機械カム手段には、主軸（モータ出力軸）、カム体及び従動軸（従節）から構成され、カム体を、回転運動を直線運動に変える一つの手段として、１回転中における所望の動作カーブ（変位曲線）に対応したカム面の周上に従動軸を配設し、カム体を回転させることで所望の直線運動を得ることにより、主軸の回転を機械的に従動軸の進退移動変位に変換するものが知られている（特許文献１参照）。
【０００３】
この特許文献１のものは、回転子（４）の回動を直接連動連結させた筒径の大きなカム体（５）を用いて、その中心にカム面（５３）との間に筒内空間を存して細径の従動軸（６）を配設し、さらに、従動軸（６）の基端側に案内軸（８１ａ）を延出形成して、回転子（４）の挿通孔（４１）に非接触で挿入させることで、先端側をフロントキャップ（２２）の軸受部（２２２）と、基端側をカム体底部（５１）の軸受部（８ａ）との２点間でそれぞれ軸受させて、従動軸（６）が軸受部（２２２）から外部へ出没する、所謂ワーク体に連動連結される一般的なモータ出力軸として機能できるようにしたものとなっている（図４参照）。
【０００４】
しかしながら、このものは、カム体（５）を回転子（４）と一体成形して、その回動を直接連動連結し、カム体底部（５１）の軸受部（８ａ）で従動軸（６）を軸受するようになっているため、上カム面（５３２）と下カム面（５３１）とのカム溝（５３ａ）を有するカム体（５）を用いる場合には、筒部（５２）を一体成形する必要があり（図５参照）、基端側を軸受部（８ａ）に軸受させた状態から係合片（６１）をカム溝（５３ａ）に係合させて従動軸（６）をケーシング内に組付けセットする作業が極めて難しいという構造上の問題点を有するだけでなく、カム体（５）の回転運動を従動軸（６）に伝達することで従動軸（６）を直線運動に変換する、所謂２系統によりカム駆動する構成となっているため、基端側の軸受部（８ａ）は、カム体（５）の回転と従動軸（６）の進退移動とを許容する軸受構成としなければならず、その配設構成に制約を受け、しかも、カム体（５）は、高速回転させるとブレを発生し易いという要因を有しており、この回転ブレは小型のものでは許容されるが高精度が求められる大型のものでは許容することができない。
【０００５】
つまり、回転するカム面（５３）上を摺接する係合片（６１）との間に負荷荷重が加わるため、このものでは、カム体（５）の外周面を保持体（７２）により摺接支持することで回転ブレを抑止できるものであるが、従動軸（６）に大きな駆動力を必要とするワーク体を連動連結させた際には、カム体（５）の外周面を保持体（７２）により高精度に軸受させる必要が生じるなど、各部材の組付けや製作が難しくなり、当該構造を大型のカム装置にそのまま採用することへの困難性を有している。
【先行技術文献】
【特許文献】
【０００６】
【特許文献１】特開２００９−１４４７４１号公報
【発明の概要】
【発明が解決しようとする課題】
【０００７】
本発明は、上記の如き問題点を一掃すべく創案されたものであって、筒状のカム体内の中心に筒内空間を存して配設させた細径の従動軸を、筒状カム体のカム面に沿ってカム駆動させるものでありながら、上筒、係合片が取着された従動軸、下筒の３者を、フロントケーシング内に、従動軸の先端側をフロントケーシング前面部で軸受させ、基端側をカム体の底部で軸受させた状態で、回転子の回動に連動連結しない別工程で容易に組付けセットすることができ、しかも、この組付けセット後に、カム体底部から突出する廻り止め軸部を、手動回転操作により分割された上筒と下筒との最適なカム溝状態やカム駆動状態の動作確認を行うことができ、その後、基端側を、回転子の軸孔内に廻り止め状態で回転かつ進退移動可能に挿入するだけで、回転子の回動と直接的に連動連結を行うことが可能となり、容易にモータ駆動手段との一体化を図ることができるようにし、組立時における軸芯ズレ規制や同軸度の確保が容易に行え、部品点数の削減や各部材の組付け構成が簡素化されて製作の容易化と、構造の簡略化を図ると共に、従動軸の軸芯ブレや回転振動などの発生が回避された最適なカム駆動アクチュエータを提供することを目的とする。
【課題を解決するための手段】
【０００８】
上記課題を解決するために本発明が採用した技術手段は、ケーシング本体内に、励磁コイルが設けられたステータと、該ステータの内側に前記コイルの励磁によって回動可能に配設された中心に軸孔を有する回転子とを備えたモータ駆動手段と、前記ケーシング本体のフロント側部を形成するフロントケーシング内に、底部と円筒状の筒部とで断面視略コ字状に形成され、該筒部に所定のカム面が形成されたカム体と、該カム体内の中心に所定の筒内空間を存して配置され、前記カム面に沿って係合する係合片を介して従動する進退移動可能な従動軸とを備えたカム手段とからなるカム駆動アクチュエータであって、前記従動軸は、先端側がフロントケーシングに軸受されてその前面から出没する出力軸部と、該出力軸部の後端側に延出され前記カム体の底部に軸受されてその底面から突出する廻り止め軸部とに区分け形成させて構成する一方、前記カム体は、上カム面を形成する上筒と下カム面を形成する下筒とを一対として、上筒を要否に応じて用いられるよう分割形成し、上筒を用いた際に、上カム面と下カム面とを、前記従動軸と共にその係合片の周回を可能とする環状のカム溝を形成するよう対向離間せしめて、フロントケーシング内に組付けセット可能に構成すると共に、前記カム体底部から突出せしめた前記廻り止め軸部の基端側を、前記軸孔内に廻り止め状態で回転かつ進退移動可能に挿入し、前記回転子の回動に直接的に連動連結させた状態で前記フロントケーシングをケーシング本体に装着せしめることで、前記従動軸を、前記回転子の回動と一体して回転しつつ、モータ駆動手段の出力軸としてカム駆動すべく構成したことを特徴とするカム駆動アクチュエータ。
【発明の効果】
【０００９】
本発明におけるカム駆動アクチュエータは、筒状のカム体内の中心に筒内空間を存して配設させた細径の従動軸を、筒状カム体のカム面に沿ってカム駆動させるものでありながら、上筒、係合片が取着された従動軸、下筒の３者を、フロントケーシング内に、従動軸の先端側をフロントケーシング前面部で軸受させ、従動軸の基端側をカム体の底部で軸受させた状態で、回転子の回動に連動連結しない別工程で容易に組付けセットすることができるばかりか、この組付けセット後に、カム体底部から突出する廻り止め軸部を、手動回転操作により分割された上筒と下筒との最適なカム溝状態やカム駆動状態の動作確認を行うことができ、その後、基端側を、回転子の軸孔内に廻り止め状態で回転かつ進退移動可能に挿入するだけで、回転子の回動と直接的に連動連結を行うことが可能となり、容易にモータ駆動手段との一体化を図ることができると共に、軸孔内を廻り止め軸部の移動ストローク域として利用でき、殊更、フロントケーシング側にスプライン等による連結ストローク域を設ける必要がない。その結果、フロントケーシング内において、非回転で装着されたカム体は、その外周面を摺接支持する必要性が一切無くなり、上筒と下筒とに分割形成した配設が可能となり、従動軸のみを、回転子の回動に連動連結しない別工程で、予め回転自在かつ軸方向移動自在に両端支持させた軸受構造をもって組付けすることができ、組立時における軸芯ズレ規制や同軸度の確保が容易に行え、部品点数の削減や各部材の組付け構成が簡素化されて製作の容易化と、軸受構造を含むアクチュエータ自体の構造の簡略化を図ることができる。しかも、従動軸は、係合片を非回転カム面を案内面として、係合（摺接、転動）負荷や軸芯ズレを生じることなく、直角度を維持した最適な係合案内関係が確保され、係合片を片持ち配置させても常に安定した推力をもって案内従動することができ、従動軸に大きな推力を要するワーク体への連動連結や、従動軸を高速回転させるなどの大型化を伴う高精度の軸受構造を必要とするカム装置であっても、従動軸の軸芯ブレや回転振動などの発生が回避された最適なものとして提供することができる。さらに、固定されたカム体は、その外周面に対する摺接支持構造を考慮する必要が無く、単にその外径を大きく、溝カムの筒部を長くしてスパイラル状に周回する長ストロークのカム面の形成も容易に行え、種々のバリエーション化の図られたカム形状のものを容易に採用することができ、ワーク体の要求に応じて最適なカム駆動を適用することができる。
【図面の簡単な説明】
【００１０】
【図１】カム駆動アクチュエータの縦断全体構成図である。
【図２】カム手段側となるカム駆動アクチュエータの前側面図である。
【図３】モータ駆動手段側となるカム駆動アクチュエータの後側面図である。
【発明を実施するための形態】
【００１１】
以下、本発明の実施の形態を、好適な実施の形態として例示するカム駆動アクチュエータを図面に基づいて詳細に説明する。
図１はカム駆動アクチュエータの縦断全体構成図、図２は前側面図、図３は後側面図である。これら図に示すように、１はカム駆動アクチュエータであって、該カム駆動アクチュエータ１は、ハイブリッド型ステッピングモータ、ＤＣブラシレスモータ等のモータ駆動手段１ａと、カム手段１ｂとにより一体的に構成される。
【００１２】
本実施例におけるモータ駆動手段１ａは、励磁コイル２２（捲線）を備える筒状胴部としてのステータ２（固定子）と、該ステータ２とその両側に配設されたエンド側部１１１、フロント側部１１２とからなるケーシング本体１１と、ステータ２の内周側に配設され、永久磁石３１を挟持し軸方向に磁化された回転子３とを備え、回転子３は、その中心（軸芯）に軸孔３２ａを有するよう配設された筒軸３２を備え、この筒軸３２をエンド側部１１１とフロント側部１１２とで回転可能に軸受４により軸支され、コイル２２の励磁によって回転駆動する、所謂、ハイブリッド型ステッピングモータにて構成される。
また、軸孔３２ａの先端側（フロント側部１１２側）には、従動軸６の基端側（廻り止め軸部６２）を廻り止め状態で挿入するための筒状部材が設けられ廻り止め部３２１が形成されている。
【００１３】
カム手段１ｂは、円盤形状の底部５１と、その外周から軸線方向に向けて延出する筒部５２とによって、断面視コ字状（凹状）の円筒形状に成形され、筒部５２に所定の起伏形状を有するカム面５３が形成されたカム体５と、該カム体５内の中心に所定の筒内空間を存して配置され、カム面５３に沿って係合する係合片６３を介して従動する進退移動可能な従動軸６とを備えて、ケーシング本体１１のフロント側部を形成するフロントケーシング１２内に収容される。
【００１４】
カム体５は、その筒部５２において、上カム面５３ａを形成する上筒５ａと下カム面５３ｂを形成する下筒５ｂとを一対（組）として、それぞれ中心に挿通孔を有して断面視コ字状に分割形成され、上カム面５３ａと下カム面５３ｂとにより、係合片６３が周回できるよう所定の間隔を存して対向離間する環状のカム溝５３１を形成している。この様にカム体５を分割型に形成すると、上筒５ａを要・不要に応じて使い分け配設すれば良く、容易に下筒５ｂのみとした端面カムを形成することができ、その際、軸受部材７と係合片６３との間に上筒５ａに替えてコイルバネを介在して従動軸６を常時後退方向に弾発付勢させておけば良く、さらに、中間筒を介在した３分割としてスパイラル溝とすることもできる。
また、上筒５ａは、フロントケーシング１２内の前側にセットし、その側面から予めビス固定しておけば良く、単に円筒形状としても良い。下筒５ｂの底部５１の中心とフロントケーシング１２の中心には、それぞれ軸受部材７（ブッシュ）が設けられ、フロントケーシング１２は、その基端部側を、モータ駆動手段１ａのフロント側部１１２に底部５１を面接させた状態で外嵌させ、底部５１から延出する外周側面をビス固定させて装着されている。
【００１５】
従動軸６は、細径の円柱状に形成され、フロントケーシング１２の前面部に設けられた軸受部材７より回転自在かつ軸方向移動自在に軸受されて、フロントケーシング１２の前面より出没する先端側の出力軸部６１と、該出力軸部６１の後端側に、円柱軸の外周対向面をＤ字状（円弧状）に２面切欠きした断面視太鼓状に延出形成されており、カム体５の底部５１に設けられた軸受部材７より回転自在かつ軸方向移動自在に軸受されて、その底面から外方へ突出する長さを有した廻り止め軸部６２とに区分け形成させ、さらに、出力軸部６１の基端側となる廻り止め軸部６２に近接した部位に穿設した取付け孔６ａに挿入取着された係合片６３とにより構成される。底部５１の底面から突出する廻り止め軸部６２は、これに対応する筒形状の回転子３の廻り止め部３２１を介して軸孔３２ａ内に廻り止め接触状態で回転かつ進退移動可能に挿入され、その挿入長さは、カム面５３の起伏による最大移動ストローク量を超えても、嵌挿解離されない長さに設定されて回転子３の回動と直接的に連動連結されている。
【００１６】
なお、係合片６３は、カム体５の筒径が大きくなりカム面５３が従動軸６の外周面と筒部５２の内周面との筒内空間を要する場合に、特許文献１に開示された如くその外周面がカム面５３に近接離間するよう形成された円柱状の基盤を、出力軸部６１と廻り止め軸部６２との区分け域（出力軸部６１側、廻り止め軸部６２側、または両者）の部位に設けて、この基盤を介してカム溝５３１に係合するようにしても良い。このように係合すると、細径の係合片６３の延出長さを短く設定し、係合負荷を分散軽減した状態で摺接係合できる。この場合、係合片６３を取付け孔６ａに回転可能に軸支させることにより、カム体５との摩擦を軽減することも可能である。また、係合片６３に替えて、先端にカム面５３上を転動するローラを有する軸部（スタッド）よりなるカムフォロアを用いても良い。
これにより、回転子３の回動と直接的に連動連結された従動軸６は、その先端側の出力軸部６１と基端側の廻り止め軸部６２との二点間で軸受部材７により回転自在かつ軸方向移動自在に高精度に両端支持する軸受構造によって案内されながら、従動軸６の回転に伴ってカム面５３の起伏形状に沿って回転しつつ従動し、出力軸部６１がフロントケーシング１２の前面より外部へ出没する、所謂ワーク体に連動連結されるモータ出力軸として機能するようになっている。          
【００１７】
次に、カム手段１ｂのモータ駆動手段１ａへの組み付け方法を説明する。先ず、上筒５ａをフロントケーシング１２内にセットしてビス固定により装着し、従動軸６の出力軸部６１先端側をフロントケーシング１２の軸受部材７に挿入軸支させ、係合片６３を上カム面５３ａに係合させた状態で、従動軸６の廻り止め軸部６２基端側を下筒５ｂの底部５１の軸受部材７に挿入軸支しつつ、下筒５ｂをフロントケーシング１２内にセットする。その際、カム溝５３１が上カム面５３ａと下カム面５３ｂとの最適な対面関係（起伏面を一致させるなど）や溝幅となる位置を、下筒５ｂの底部５１から突出する廻り止め軸部６２を手動操作で回転させながらカム駆動動作や位置合わせを確認し、下筒５ｂをビス固定により装着する。なお、予め筒部５２の外周面に案内溝を刻設し、フロントケーシング１２の内周面に案内片を設けておけば、位置合わせ作業を容易に行うことができる。
その後、下筒５ｂの底部５１から突出する廻り止め軸部６２を、回転子３の廻り止め部３２１を介して軸孔３２ａ内に挿入させ、回転子３の回動と直接的に連動連結し、フロントケーシング１２の基端側をフロント側部１１２に底部５１を面接させた状態で外嵌させ、その外周側面をビス固定させて装着すれば組み立ては完成する。
【００１８】
このように、組み立て構成されたカム駆動アクチュエータ１におけるカム手段１ｂの従動軸６は、フロントケーシング１２の前面に設けられた軸受部材７と、下筒５ｂの底部５１に設けられた軸受部材７とによって、しっかりと軸受されてフロントケーシング１２内に収容された状態で、廻り止め軸部６２が、回転子３の廻り止め部３２１に進退移動可能に挿入されて、回転子３の回動に直接連動され、軸孔３２ａ内を移動ストローク域として回転しつつ進退移動し、係合片６３がカム体５の環状のカム面５３に沿って周回案内されることにより、フロントケーシング１２の前面に設けられた軸受部材７より回転しつつ出没してカム駆動する。つまり、従動軸６は、モータ駆動手段１ａの駆動制御により、カム起伏が上り勾配となる場合には下カム面５３ｂ上を、下り勾配となる場合には上カム面５３ａ上を、それぞれ係合片６３がガイドされながら周回して、従動軸６をモータ駆動手段１ａの出力軸としてカム駆動するようになっている。
【００１９】
叙述の如く構成された本発明の実施例の形態において、いま、フロントケーシング１２内に収容させたカム手段１ｂを構成する従動軸６は、連結されたモータ駆動手段１ａの回転子３の回動に連動して、カム体５に形成されたカム面５３に沿ってカム駆動するのであるが、本発明におけるカム駆動アクチュエータ１は、筒状のカム体５を非回転としてフロントケーシング１２内に収容させ、従動軸６は、先端側がフロントケーシング１２に軸受されてその前面から出没する出力軸部６１と、該出力軸部６１の後端側に延出されカム体５の底部５１に軸受されてその底面から突出する廻り止め軸部６２とに区分け形成させて構成する一方、カム体５は、上カム面５３ａを形成する上筒５ａと下カム面５３ｂを形成する下筒５ｂとを一対（組）として、上筒５ａを要否に応じて使い分け可能に分割形成し、上筒５ａを用いた際に、上カム面５３ａと下カム面５３ｂとを、従動軸６と共にその係合片６３の周回を可能とする環状のカム溝５３１を形成するよう対向離間せしめて、フロントケーシング１２内に個別に組付けセット可能に構成すると共に、カム体５の底部５１から突出せしめた廻り止め軸部６２の基端側を、回転子３の軸孔３２ａ内に廻り止め状態で回転かつ進退移動可能に挿入し、回転子３の回動に直接的に連動連結させた状態でフロントケーシング１２をケーシング本体１１に装着せしめて、従動軸６を、回転子３の回動と一体して回転しつつ、モータ駆動手段１ａの出力軸としてカム駆動すべく構成されている。
【００２０】
この様に構成すると、筒状のカム体５内の中心に筒内空間を存して配設させた細径の従動軸６を、筒状のカム体５のカム面５３に沿ってカム駆動させるものでありながら、上筒５ａ、係合片６３が取着された従動軸６、下筒５ｂの３者を、フロントケーシング１２内に、従動軸６の先端側をフロントケーシング１２の前面部で軸受部材７により軸受させ、従動軸６の基端側をカム体５の底部５１で軸受部材７により軸受させた状態で、回転子３の回動に連動連結しない別工程で容易に組付けセットすることができるばかりか、この組付けセット後に、カム体５の底部５１から突出する廻り止め軸部６２を、手動回転により分割された上筒５ａと下筒５ｂとの最適なカム溝５３１状態やカム駆動状態の動作確認を行うことができ、その後、基端側を、回転子３の軸孔３２ａ内に廻り止め状態で回転かつ進退移動可能に挿入するだけで、回転子３の回動と直接的に連動連結を行うことが可能となり、容易に個別に構成されたモータ駆動手段１ａとの一体化を図ることができると共に、軸孔３２ａ内を廻り止め軸部６２の移動ストローク域として利用でき、殊更、フロントケーシング１２側にスプライン等による連結ストローク域を設ける必要がない。
【００２１】
その結果、フロントケーシング１２内において、非回転で装着されたカム体５は、その外周面を摺接支持する必要性が一切無くなり、上筒５ａと下筒５ｂとに分割形成した配設が可能となり、従動軸６のみを、回転子３の回動に連動連結しない別工程で、予め回転自在かつ軸方向移動自在に軸受部材７により、両端支持させた軸受構造をもって組付けすることができ、組立時における軸芯ズレ規制や同軸度の確保が容易に行え、部品点数の削減や各部材の組付け構成が簡素化されて製作の容易化と、軸受構造を含むアクチュエータ自体の構造の簡略化を図ることができる。しかも、従動軸６は、係合片６３を非回転カム面５３の全幅を走行案内面として、カム面５３上を均等に面接しながら係合（摺接、転動）負荷や軸芯ズレを生じることなく、直角度を維持した最適な係合案内関係が確保され、係合片６３を片持ち配置させても常に安定した推力をもって案内従動することができ、従動軸６に大きな推力を要するワーク体への連動連結や、従動軸６を高速回転させるなどの大型化を伴う高精度の軸受構造を必要とするカム装置であっても、従動軸６の軸芯ブレや回転振動などの発生が回避された最適なものとして提供することができる。さらに、固定されたカム体５は、その外周面に対する摺接支持構造を考慮する必要が無く、単にその外径を大きく、溝カムの筒部を長くしてスパイラル状に周回する長ストロークのカム面５３の形成も容易に行え、種々のバリエーション化の図られたカム形状のものを容易に採用することができ、ワーク体の要求に応じて最適なカム駆動を適用することができる。
【００２２】
また、回転子３の軸孔３２ａ内には、カム体５の底部５１側となる内周面に廻り止め部３２１が設けられているので、廻り止め部３２１をフロント側部１１２から視認でき、カム体５の底部５１から突出する廻り止め軸部６２の挿入作業を容易に行うことができるばかりか、組付け後に底部５１の軸受部材７と近接対面された配置構成となって、軸受された廻り止め軸部６２に対してトルク損失のない回転伝達を行うことができる。
【００２３】
また、廻り止め軸部６２は、廻り止め部３２１から回転子３の軸孔３２ａ内に入り込む長さを有するので、廻り止め軸部６２は、従動軸６の前進移動時に、その基端部が、廻り止め部３２１（筒軸３２）内に入り込むことなく、常に廻り止め部３２１全長が接触した状態で廻り止め案内されながら、回転しつつ進退移動することができ、しかも、軸孔３２ａ内全長を移動ストローク域として利用できるので、廻り止め軸部６２を長尺に設定でき、カム面５３のストローク長さ設定や、出力軸部６１の長さ設定に自由度を持たせて容易に製作することができる。
【００２４】
また、係合片６３は、従動軸６の出力軸部６１基端側となる廻り止め軸部６２に近接した部位に穿設した取付け孔６ａに挿入されて取着されているので、係合片６３を、カム面５３に対して片持ち係合させるか、両端係合させるかの長さ設定の異なるものでも容易に切換え取着することができる。
【００２５】
また、従動軸６には、出力軸部６１と廻り止め軸部６２との区分け域に、その外周面がカム面５３に近接離間するよう形成された円柱状の基盤（図示しない）を設け、係合片６３は、この基盤を介してカム溝５３１に係合するよう取着されているので、カム体５の直径が大きくなりカム面５３が軸芯からの筒内空間の距離を要する場合に、係合片６３の長さを短く設定することができ、負荷を分散軽減した状態で摺接係合できる。
【産業上の利用可能性】
【００２６】
従動軸６を、フロントケーシング１２とカム体５の底部５１に設けられた軸受部材７間で軸受させ、かつ、係合片６３を、カム溝５３１間に係合した状態で、フロントケーシング１２内に配設したものでありながら、上筒５ａ、係合片６３が取着された従動軸６、下筒５ｂの３者を、フロントケーシング１２内に容易に組付けセットでき、セット後に、底部５１から突出する廻り止め軸部６２を、軸孔３２ａ内に廻り止め状態で回転かつ進退移動可能に挿入するだけで、回転子３の回動と直接的に連動連結を行うことができ、ワーク体に連動連結されるモータ出力軸として利用することができ、カム駆動、大きな推力、高速回転、回転ブレ規制などの高精度が求められるワーク体の要求に応じて、小型のものから大型のものまで適用できる。
【符号の説明】
【００２７】
１      カム駆動アクチュエータ
１ａ    モータ駆動手段
１１    ケーシング本体
１１１  エンド側部
１１２  フロント側部
１ｂ    カム手段
１２    フロントケーシング
２      ステータ
２２    励磁コイル
３      回転子
３１    永久磁石
３２    筒軸
３２ａ  軸孔
３２１  廻り止め部
４      軸受
５      カム体
５１    底部
５２    筒部
５３    カム面
５ａ    上筒
５３ａ  上カム面
５ｂ    下筒
５３ｂ  下カム面
５３１  カム溝
６      従動軸
６１    出力軸部
６２    廻り止め軸部
６３    係合片
６ａ    取付け孔
７      軸受部材
【図１】
2014023177.tif 000003
【図２】
2014023177.tif 000004
【図３】
2014023177.tif 000005